(57)【特許請求の範囲】
【請求項１】
予め設定した発射条件の成否に基づいて出力される条件成立信号と、遊技球の発射周期を決定するべく定期的に出力される発射周期信号との論理積を発射信号として出力し、この発射信号に従って遊技球の発射を行うようにした遊技球の発射制御装置において、
発射条件の成否が反転した後、所定のクロックを分周して発射周期を決定する基準となる基準クロック信号の立ち上がりに同期して条件成立信号の状態を変化させるようにしたことを特徴とする遊技球の発射制御装置。
【請求項２】
予め設定した発射条件の成否に基づいて出力される条件成立信号と、遊技球の発射周期を決定するべく定期的に出力される発射周期信号との論理積を発射信号として出力し、この発射信号に従って遊技球の発射を行うようにした遊技球の発射制御装置において、
所定のクロックを分周して発射周期を決定する基準となる基準クロック信号を出力する基準クロック信号出力手段と、
発射条件の成否に同期して成立指示信号を出力する成立指示信号出力手段と、
成立指示信号の状態を、基準クロック信号が次の立ち上がりとなるまで記憶し、これを条件成立信号として出力する条件成立信号出力手段と
を備えたことを特徴とする遊技球の発射制御装置。
【請求項３】
予め設定した発射条件の成否に基づいて出力される条件成立信号と、遊技球の発射周期を決定するべく定期的に出力される発射周期信号との論理積を発射信号として出力し、この発射信号に従って遊技球の発射を行うようにした遊技球の発射制御装置において、
所定のクロックを分周して発射周期を決定する基準となる基準クロック信号を出力する基準クロック信号出力手段と、
発射条件の成否に同期して成立指示信号を出力する成立指示信号出力手段と、
成立指示信号の状態を、基準クロック信号が次の立ち上がりとなるまで記憶し、これを第一補助成立信号として出力する第一補助成立信号出力手段と、
第一補助成立信号の状態を、基準クロック信号が次の立ち上がりとなるまで記憶し、これを第二補助成立信号として出力する第二補助成立信号出力手段と、
これら第一補助成立信号および第二補助成立信号の論理積を条件成立信号として出力する条件成立信号出力手段と
を備えたことを特徴とする遊技球の発射制御装置。
【発明の詳細な説明】
【０００１】
【発明の属する技術分野】
本発明は、パチンコ機等の遊技機に適用される遊技球の発射制御装置に関するもので、より詳細には、予め設定した発射条件の成否に基づいて出力される条件成立信号と、遊技球の発射周期を決定するべく定期的に出力される発射周期信号との論理積を発射信号として出力し、この発射信号に従って遊技球の発射を行うようにした発射制御装置の改良に関する。
【０００２】
【従来の技術】
図７は、この種の発射制御装置を示したもので、パチンコ機の遊技領域に所定の発射周期（例えば６０６ｍｓｅｃ）で遊技球を発射するための発射制御装置を例示している。
【０００３】
この発射制御装置では、パチンコ機の操作ハンドルに設けたタッチスイッチおよびストップスイッチと、発射開始電圧検出手段とから、それぞれの検出信号が第１ａｎｄ回路Ａに出力されており、これら検出信号の論理積が条件成立信号として第２ａｎｄ回路Ｂに与えられることになる。タッチスイッチから与えられる検出信号は、遊技者が操作ハンドルに触れているか否かを示す信号であり、操作ハンドルに触れている場合に高位状態となる。ストップスイッチから与えられる検出信号は、遊技者が遊技球の発射停止操作をしているか否かを示す信号であり、発射停止操作をしていない場合に高位状態となる。発射開始電圧検出手段から与えられる検出信号は、発射レバーボリュームの操作量に基づく出力電圧が予め設定した閾値以上となっているか否かを示す信号であり、閾値以上の場合に高位状態となる。
【０００４】
一方、第２ａｎｄ回路Ｂには、パルス発生器Ｃから遊技球の発射周期に応じた発射周期信号が常時与えられており、当該発射周期信号と第１ａｎｄ回路Ａから出力された条件成立信号との論理積が、発射信号として発射ソレノイド駆動回路Ｄに出力されることになる。
【０００５】
発射ソレノイド駆動回路Ｄは、図には明示していないが、第２ａｎｄ回路Ｂから与えられた発射信号が高位状態となっている間に充放電コンデンサに蓄えられていた電荷を発射ソレノイドに放出し、該発射ソレノイドのプランジャを駆動して遊技球を遊技領域に向けて発射させるものである。
【０００６】
上記のような発射制御装置によれば、遊技者が操作ハンドルを操作してタッチスイッチがＯＮされ、さらに発射レバーボリュームの操作量に基づく出力電圧が所定の閾値を越えると、発射停止操作をしていない場合に発射条件が成立し、第２ａｎｄ回路Ｂに与えられる条件成立信号が高位状態となる。この結果、第２ａｎｄ回路Ｂから出力される発射信号が発射周期信号に同期して高位状態となり、上述した発射周期で遊技球が順次発射されることになる。
【０００７】
【発明が解決しようとする課題】
ところで、上述した条件成立信号は、遊技者のハンドル操作によって任意のタイミングでその状態が変化するものであり、必ずしも発射周期信号に同期するとは限らない。このため、例えば、図８（ａ）に示す発射周期信号に対して、図８（ｂ）、図８（ｃ）および図８（ｄ）に示すようなタイミングで条件成立信号の状態が変化した場合には、図８（ｅ）に示すように、発射周期信号と同一のパルス幅を持って発射信号が高位状態となるものの、図８（ｆ）のａ部やｂ部に示すようなタイミングで条件成立信号の状態が変化した場合には図８（ｇ）のａ部やｂ部に示すように発射周期信号のパルス幅に満たないパルス幅で発射信号が高位状態となる。
【０００８】
上述したように、発射信号のパルス幅は、充放電コンデンサに蓄えられていた電荷を発射ソレノイドに放出する時間に対応するものである。この結果、図８（ｇ）に示す発射信号が出力された場合には、発射ソレノイドの駆動が不十分となり、遊技者の意図する場所に遊技球が発射されない、遊技球が遊技領域に達しない等、中途半端に遊技球が発射される事態が発生することになり、遊技者の遊技意欲を著しく損なう虞れがある。
【０００９】
本発明は、上記実情に鑑みて、中途半端に遊技球が発射される事態を確実に防止することのできる遊技球の発射制御装置を提供することを解決課題とする。
【００１０】
【課題を解決するための手段】
本願の請求項１に係る発明では、
予め設定した発射条件の成否に基づいて出力される条件成立信号と、遊技球の発射周期を決定するべく定期的に出力される発射周期信号との論理積を発射信号として出力し、この発射信号に従って遊技球の発射を行うようにした遊技球の発射制御装置において、発射条件の成否が反転した後、所定のクロックを分周して発射周期を決定する基準となる基準クロック信号の立ち上がりに同期して条件成立信号の状態を変化させるようにしている。
【００１１】
また、本願の請求項２に係る発明では、予め設定した発射条件の成否に基づいて出力される条件成立信号と、遊技球の発射周期を決定するべく定期的に出力される発射周期信号との論理積を発射信号として出力し、この発射信号に従って遊技球の発射を行うようにした遊技球の発射制御装置において、所定のクロックを分周して発射周期を決定する基準となる基準クロック信号を出力する基準クロック信号出力手段と、発射条件の成否に同期して成立指示信号を出力する成立指示信号出力手段と、成立指示信号の状態を、基準クロック信号が次の立ち上がりとなるまで記憶し、これを条件成立信号として出力する条件成立信号出力手段とを備えるようにしている。
【００１２】
さらに、本願の請求項３に係る発明では、予め設定した発射条件の成否に基づいて出力される条件成立信号と、遊技球の発射周期を決定するべく定期的に出力される発射周期信号との論理積を発射信号として出力し、この発射信号に従って遊技球の発射を行うようにした遊技球の発射制御装置において、所定のクロックを分周して発射周期を決定する基準となる基準クロック信号を出力する基準クロック信号出力手段と、発射条件の成否に同期して成立指示信号を出力する成立指示信号出力手段と、成立指示信号の状態を、基準クロック信号が次の立ち上がりとなるまで記憶し、これを第一補助成立信号として出力する第一補助成立信号出力手段と、第一補助成立信号の状態を、基準クロック信号が次の立ち上がりとなるまで記憶し、これを第二補助成立信号として出力する第二補助成立信号出力手段と、これら第一補助成立信号および第二補助成立信号の論理積を条件成立信号として出力する条件成立信号出力手段とを備えるようにしている。
【００１３】
【発明の実施の形態】
以下、実施の形態を示す図面に基づいて本発明を詳細に説明する。
図１は、本発明に係る発射制御装置の一実施形態を示したものである。ここで例示する発射制御装置１は、パチンコ機において所定の発射周期、例えば１分間に９９回（約６０６ｍｓｅｃ）の周期で遊技球を遊技領域へ発射させるためのもので、分周回路１０、発射条件検出回路２０およびデコーダ回路３０を備えている。
【００１４】
分周回路１０は、水晶発振器２から与えられた源周波数ｆ（例えばｆ＝１３．８４１ＭＨｚ）の発振信号を適宜分周した基準クロック信号と、この基準クロック信号に対して周波数が１／２となる第１分周クロック信号、この第１分周クロック信号に対して周波数が１／２となる第２分周クロック信号、この第２分周クロック信号に対して周波数が１／２となる第３分周クロック信号およびこの第３分周クロック信号に対して周波数が１／２となる第４分周クロック信号とを生成し、当該基準クロック信号を発射条件検出回路２０に与える一方、基準クロック信号、第１分周クロック信号、第２分周クロック信号、第３分周クロック信号および第４分周クロック信号のそれぞれをデコーダ回路３０に与える部分である。本実施形態では、基準クロック信号として上述した発射周期の１６倍となる周波数を有した信号、つまり水晶発振器２から与えられた発振信号を２19分周した信号（ｆ／２19）を生成するようにしている。従って、第１分周クロック信号はｆ／２20、第２分周クロック信号はｆ／２21、第３分周クロック信号はｆ／２22、第４分周クロック信号はｆ／２23となる。
【００１５】
発射条件検出回路２０は、遊技球の発射条件が成立しているか否かに基づいて条件成立信号を生成し、これをデコーダ回路３０に与える部分である。本実施形態では、パチンコ機の操作ハンドルに設けたタッチスイッチおよびストップスイッチから出力されたそれぞれの検出信号と、払出制御基板から出力された検出信号と、発射開始電圧設定回路３から出力された検出信号と、上述の分周回路１０から出力された基準クロック信号とに基づいて、条件成立信号を生成するようにしている。
【００１６】
タッチスイッチから与えられる検出信号は、遊技者が操作ハンドルに触れているか否かを示す信号であり、操作ハンドルに触れている場合に高位状態となる。ストップスイッチから与えられる検出信号は、遊技者が遊技球の発射停止操作をしているか否かを示す信号であり、発射停止操作をしていない場合に高位状態となる。払出制御基板から与えられる検出信号は、所謂ＣＲ機においてカードサンドに接続されているか否かを示す信号であり、接続されている場合に高位状態となる。発射開始電圧設定回路３から与えられる信号は、操作ハンドルに設けた発射レバーボリュームの操作に基づく出力電圧が予め設定した閾値以上となっているか否かを示す信号であり、閾値以上の場合に高位状態となる。なお、遊技球の発射条件としては、必ずしもこれらに限定されるものではなく、上述したものの一部だけとしてもよいし、さらにその他の条件を付加するようにしてもよい。
【００１７】
デコーダ回路３０は、分周回路１０から与えられた基準クロック信号、第１分周クロック信号、第２分周クロック信号、第３分周クロック信号および第４分周クロック信号と、発射条件検出回路２０から与えられた条件成立信号とに基づいて、発射ソレノイド駆動回路４に対して上述した発射周期ごとに発射信号を出力する部分である。発射ソレノイド駆動回路４は、発射レバーボリュームの操作に基づいて発射ソレノイド駆動電源回路５から供給された電荷を充放電コンデンサに蓄積する一方、デコーダ回路３０から与えられた発射信号が高位状態となった場合には発射ソレノイドを駆動するべく当該発射ソレノイドに対して充放電コンデンサの電荷を放出する部分である。
【００１８】
なお、図中の符号６は、発射レバーボリュームの操作量に対する出力電圧特性のバラ付きを微調整するための発射強度設定回路である。
【００１９】
図２は、上述した発射制御装置１の要部を詳細に示したブロック図、図３および図４は、上述した各信号の関係を示すタイミングチャートである。以下、これらの図を参照しながら発射制御装置１の作用について詳述する。
【００２０】
先ず、上記発射制御装置１では、デコーダ回路３０の第１ａｎｄ回路３１に対して分周回路１０から基準クロック信号、第１分周クロック信号、第２分周クロック信号、第３分周クロック信号および第４分周クロック信号が常時与えられており、図３（ａ）乃至図３（ｆ）に示すように、これら各クロック信号の論理積が発射周期信号として第２ａｎｄ回路３２に出力されている。この第２ａｎｄ回路３２に出力される発射周期信号は、基準クロック信号と同一のパルス幅（約３７．９ｍｓｅｃ）で、かつ第４分周クロック信号と同一の周期（約６０６ｍｓｅｃ）を有したものであり、遊技球の発射周期を決定する基準となる。
【００２１】
一方、発射条件検出回路２０では、タッチスイッチから出力された検出信号、ストップスイッチから出力された検出信号、払出制御基板から出力された検出信号および発射開始電圧設定回路３から出力された検出信号が第３ａｎｄ回路２１に対して常時与えられており、これらの論理積が成立指示信号としてフリップフロップ回路２２に出力されている。このフリップフロップ回路２２は、基準クロック信号をクロックとし、入力された成立指示信号を遅延させて出力する、所謂遅延型のフリップフロップ回路である。すなわち、上記フリップフロップ回路２２では、分周回路１０から与えらた基準クロック信号の立ち上がり時における成立指示信号の状態が、次の基準クロック信号の立ち上がり時まで記憶され、これが条件成立信号としてデコーダ回路３０の第２ａｎｄ回路３２に出力されることになる。
【００２２】
いま、遊技球の発射条件が成立し、第３ａｎｄ回路２１に与えられている検出信号がすべて高位状態となると、図４（ｃ）に示すように、その時点で当該第３ａｎｄ回路２１からフリップフロップ回路２２に与えられている成立指示信号が高位状態となる（ｔ１）。
【００２３】
フリップフロップ回路２２に与えられている成立指示信号が高位状態になると、図４（ｄ）に示すように、次の基準クロック信号の立ち上がり時に同期して、デコーダ回路３０の第２ａｎｄ回路３２に対して出力されている条件成立信号が高位状態となる（ｔ２）。
【００２４】
この結果、図４（ｅ）に示すように、デコーダ回路３０の第２ａｎｄ回路３２から発射ソレノイド駆動回路４に対して出力されている発射信号が、次の発射周期信号の立ち上がり時に同期して高位状態となり、上述した発射周期で遊技球が順次遊技領域に向けて発射されるようになる（ｔ３、ｔ７）。
【００２６】
これにより、例えば図４（ｆ）のａ部に示すように、発射周期信号が高位状態となっている中間時点で発射条件が成立し、この結果、第３ａｎｄ回路２１から出力されている成立指示信号が直ちに高位状態となった場合（ｔ４）であっても、条件成立信号の状態変化は図４（ｇ）に示すように、次の基準クロック信号の立ち上がり時（ｔ６）となる。
【００２７】
従って、図４（ｈ）に示すように、第２ａｎｄ回路３２から出力される発射信号は、成立指示信号が高位状態となったタイミング（ｔ４）では高位状態とは成らず、次の発射周期信号の立ち上がり時に同期して高位状態となる（ｔ７）。
【００２８】
逆に、図４（ｊ）のｂ部に示すように、発射周期信号が高位状態となっている中間時点で発射条件が不成立となり、この結果、第３ａｎｄ回路２１から出力されている成立指示信号が直ちに低位状態となった場合（ｔ４）にも、条件成立信号の状態変化は図４（ｋ）に示すように、次の基準クロック信号の立ち上がり時（ｔ６）となる。
【００２９】
従って、図４（ｍ）に示すように、第２ａｎｄ回路３２から出力される発射信号は、成立指示信号が高位状態となったタイミング（ｔ４）では低位状態とはならず、当該発射周期信号の立ち下がり時に同期して低位状態となる（ｔ５）。
【００３０】
これらの結果、上記発射制御装置１によれば、如何なるタイミングで発射条件の成否が発生しようとも、第２ａｎｄ回路３２からは発射ソレノイド駆動回路４に対して常に発射周期信号と同一のパルス幅を持った発射信号が出力されることになり、発射ソレノイドの駆動が、確実に遊技者による発射レバーボリュームの操作量に応じたものとなる。従って、遊技者は、常に意図した飛距離で遊技球を発射することができるようになり、遊技意欲を損なう虞れがない。
【００３１】
図５は、本発明に係る発射制御装置の第二実施形態を示すブロック図である。この第二実施形態の発射制御装置１′は、先の第一実施形態と同様に、パチンコ機において所定の発射周期、例えば１分間に９９回（約６０６ｍｓｅｃ）の周期で遊技球を遊技領域へ発射させるためのもので、当該第一実施形態のものとは発射条件検出回路１２０の構成のみが異なっている。
【００３２】
すなわち、この第二実施形態の発射制御装置１′では、発射条件検出回路１２０にフリップフロップ回路１２１，１２２を２つ設けてあるとともに、第４ａｎｄ回路１２３を追加してある。これらのフリップフロップ回路１２１，１２２は、いずれも第一実施形態のものと同様、基準クロック信号をクロックとし、入力された信号を遅延させて出力するようにした遅延型のものである。一方のフリップフロップ回路（以下、第１フリップフロップ回路１２１という）は、第３ａｎｄ回路２１からの成立指示信号を入力信号とし、これを第一補助成立信号として出力するものである。もう一方のフリップフロップ回路（以下、第２フリップフロップ回路１２２という）は、第１フリップフロップ回路１２１からの第一補助成立信号を入力信号とし、これを第二補助成立信号として第４ａｎｄ回路１２３に出力するものである。第４ａｎｄ回路１２３は、第１フリップフロップ回路１２１から与えられた第一補助成立信号と第２フリップフロップ回路１２２から与えられた第二補助成立信号との論理積を条件成立信号としてデコーダ回路３０の第２ａｎｄ回路３２に出力するものである。
【００３３】
なお、この第二実施形態の発射制御装置１′において第一実施形態の発射制御装置１と同様の構成に関しては、同一の符号を付してそれぞれの詳細説明を省略している。
【００３４】
以下、第二実施形態の発射制御装置１′における各信号の関係を示す図６を参照しながらその作用について詳述する。
【００３５】
上記発射制御装置１′において遊技球の発射条件が成立し、第３ａｎｄ回路２１に与えられている検出信号がすべて高位状態となると、図６（ｃ）に示すように、その時点で当該第３ａｎｄ回路２１から第１フリップフロップ回路１２１に与えられている成立指示信号が高位状態となる（ｔ１）。
【００３６】
第１フリップフロップ回路１２１に与えられている成立指示信号が高位状態になると、図６（ｄ）に示すように、次の基準クロック信号の立ち上がり時に同期して、第２フリップフロップ回路１２２および第４ａｎｄ回路１２３に対して出力されている第一補助成立信号が高位状態となる（ｔ２）。さらに、第２フリップフロップ回路１２２に与えられている第一補助成立信号が高位状態になると、図６（ｅ）に示すように、次の基準クロック信号の立ち上がり時に同期して、第４ａｎｄ回路１２３に対して出力されている第二補助成立信号が高位状態となる（ｔ４）。第４ａｎｄ回路１２３に与えられている第一補助成立信号および第二補助成立信号がいずれも高位状態になると、図６（ｆ）に示すように、その時点でデコーダ回路３０の第２ａｎｄ回路３２に対して出力されている条件成立信号が高位状態となる（ｔ４）。
【００３７】
この結果、図６（ｇ）に示すように、デコーダ回路３０の第２ａｎｄ回路３２から発射ソレノイド駆動回路４に対して出力されている発射信号が、次の発射周期信号の立ち上がり時に同期して高位状態となり、上述した発射周期で遊技球が順次遊技領域に向けて発射されるようになる（ｔ５）。
【００３９】
従って、如何なるタイミングで発射条件の成否が発生しようとも、第２ａｎｄ回路３２からは発射ソレノイド駆動回路４に対して常に発射周期信号と同一のパルス幅を持った発射信号が出力されることになり、発射ソレノイドの駆動が、確実に遊技者による発射レバーボリュームの操作量に応じたものとなるも第一実施形態の発射制御装置１と同様である。これにより遊技者は、常に意図した飛距離で遊技球を発射することができるようになり、遊技意欲を損なう虞れがない。
【００４０】
しかも、この第二実施形態の発射制御装置１′によれば、図６（ｈ）に示すように、第３ａｎｄ回路２１から第１フリップフロップ回路１２１に与えられている成立指示信号がノイズ等の原因によって一時的に高位状態となった場合（ｔ１〜ｔ３）であっても、図６（ｊ）乃至図６（ｎ）に示すように、発射条件検出回路１２０の第４ａｎｄ回路１２３からは条件成立信号が出力されないため、つまり第３ａｎｄ回路２１から出力される成立指示信号が、基準クロック信号の１周期（約３７．９ｍｓｅｃ）以上継続して高位状態とならない限り発射条件検出回路１２０の第４ａｎｄ回路１２３からは条件成立信号が出力されないため、ノイズ等の影響によって中途半端に遊技球が発射される事態をも確実に防止することができるようになる。
【００４１】
なお、上述した第一実施形態および第二実施形態において具体的に示した周期、周波数、パルス幅に関する数値は、あくまでも例示のためのもので、如何なる値であってもよいのはいうまでもない。また、遊技球の発射条件が上述したものに限定されないのも先に述べたとおりである。
【００４２】
【発明の効果】
以上説明したように、本発明によれば、発射条件の成否が反転した後、所定のクロックを分周して発射周期を決定する基準となる基準クロック信号の立ち上がりに同期して条件成立信号の状態を変化させるようにしているため、如何なるタイミングで発射条件の成否が発生しようとも、常に発射周期信号と同一のパルス幅を持った発射信号が出力されることになり、遊技球が中途半端に発射される事態を確実に防止することが可能となる。
【図面の簡単な説明】
【図１】本発明に係る発射制御装置の第一実施形態を示すブロック図である。
【図２】図１に示した発射制御装置の要部を詳細に示すブロック図である。
【図３】第一実施形態の発射制御装置における基準クロック信号およびその分周信号と、発射周期信号との関係を示すタイミングチャートである。
【図４】第一実施形態の発射制御装置における基準クロック信号、発射周期信号、成立指示信号、条件成立信号および発射信号の関係を示すフローチャートである。
【図５】本発明に係る発射制御装置の第二実施形態を示すブロック図である。
【図６】第二実施形態の発射制御装置における基準クロック信号、発射周期信号、成立指示信号、第一補助成立信号、第二補助成立信号、条件成立信号および発射信号との関係を示すタイミングチャートである。
【図７】従来の発射制御装置を示すブロック図である。
【図８】従来の発射制御装置における発射周期信号、条件成立信号および発射信号の関係を示すタイミングチャートである。
【符号の説明】
１，１′      発射制御装置
２      水晶発振器
３      発射開始電圧設定回路
４      発射ソレノイド駆動回路
５      発射ソレノイド駆動電源回路
６      発射強度設定回路
１０      分周回路
２０      発射条件検出回路
２１      第３ａｎｄ回路
２２      フリップフロップ回路
３０      デコーダ回路
３１      第１ａｎｄ回路
３２      第２ａｎｄ回路
１２０      発射条件検出回路
１２１      第１フリップフロップ回路
１２２      第２フリップフロップ回路
１２３      第４ａｎｄ回路
【図１】
0003747148.tif 000002
【図２】
0003747148.tif 000003
【図３】
0003747148.tif 000004
【図４】
0003747148.tif 000005
【図５】
0003747148.tif 000006
【図６】
0003747148.tif 000007
【図７】
0003747148.tif 000008
【図８】
0003747148.tif 000009